【事件の表示】
　特許第３１８７７４７号「高周波誘導加熱式はんだ付け装置」の請求項１乃至請求項５に係る特許に対する特許異議の申立てについて、次のとおり決定する。
【結　論】
　訂正を認める。
　特許第３１８７７４７号の請求項１乃至請求項４に係る特許を取り消す。
【理　由】
第１　手続の経緯
　本件特許第３１８７７４７号については、平成９年６月２５日に特許出願され、同１３年５月１１日に請求項１乃至請求項５に係る発明について特許権の設定の登録がされ、その後、同１３年１０月１１日に白光株式会社より本件の全請求項に係る特許について特許異議の申立てがされ、同１４年４月３０日付で取消しの理由の通知がされ、その指定期間内である同１４年７月９日に明細書について訂正の請求がされた。
第２　訂正の適否についての判断
１　訂正の内容
　特許権者は、本件の登録時の明細書（以下「登録明細書」という。）を訂正請求書に添付された明細書（以下「訂正明細書」という。）記載のとおり以下のように訂正しようとするものである。
(1) 訂正事項ａ
　登録明細書の特許請求の範囲の請求項１中の「設定温度に保つ温度コントローラ、」を、「設定温度に保つように構成されると共に、暗証番号を入力する機能と、入力された暗証番号を判別して必要なモードに切換える機能とを有し、決められた暗証番号を入力した後でなければ設定温度を変更できないように構成された温度コントローラ、」と訂正する。
(2) 訂正事項ｂ
　登録明細書の特許請求の範囲の請求項３を削除する。
(3) 訂正事項ｃ
　登録明細書の特許請求の範囲の請求項４及び請求項５をそれぞれ繰り上げて訂正明細書の特許請求の範囲の請求項３及び請求項４とし、さらに、登録明細書の特許請求の範囲の請求項４の「請求項１から３までの何れかに記載の」を、訂正明細書の特許請求の範囲の請求項３では「請求項１又は２に記載の」と訂正し、登録明細書の特許請求の範囲の請求項５の「請求項１から４までの何れかに記載の」を、訂正明細書の特許請求の範囲の請求項４では「請求項１から３までの何れかに記載の」と訂正する。
(4) 訂正事項ｄ
　登録明細書の段落【０００７】【課題を解決するための手段】中の「設定温度に保つ温度コントローラ、」を、「設定温度に保つように構成されると共に、暗証番号を入力する機能と、入力された暗証番号を判別して必要なモードに切換える機能とを有し、決められた暗証番号を入力した後でなければ設定温度を変更できないように構成された温度コントローラ、」と訂正する。
(5) 訂正事項ｅ
　登録明細書の段落【００１０】を、「また、本発明においては、上記温度コントローラが、決められた特定の暗証番号を入力した後でなければ設定温度を変更できないように構成されているから、人体や異物等が設定手段に接触することによって不時に設定温度が切り換わるといった心配がなくなり、安全性が向上する。」と訂正すると共に、その段落番号を【０００９】に訂正し、登録明細書の段落【０００９】の段落番号を【００１０】に訂正する。
２　訂正の目的の適否、新規事項の追加の有無及び拡張・変更の存否
(1) 訂正事項ａは、登録明細書の特許請求の範囲の請求項３に「温度コントローラが、決められた暗証番号を入力した後でなければ設定温度を変更できないように構成されている」と、また、同段落【００１８】に「入力された暗証番号を判別して必要なモードに切り換える判別回路は、上記設定手段に組み込むことができ、」と記載されていることに基づいて登録明細書の特許請求の範囲の請求項１の「設定温度に保つ温度コントローラ、」を、より下位概念である「設定温度に保つように構成されると共に、暗証番号を入力する機能と、入力された暗証番号を判別して必要なモードに切換える機能とを有し、決められた暗証番号を入力した後でなければ設定温度を変更できないように構成された温度コントローラ、」に限定するものであって、特許請求の範囲の減縮に相当し、且つ、願書に添付した明細書又は図面に記載した事項の範囲内の訂正であって、実質的に特許請求の範囲を拡張又は変更するものではない。
(2) 訂正事項ｂは、訂正事項ａの訂正に伴って登録明細書の特許請求の範囲の請求項３を削除するものであって、特許請求の範囲の減縮に相当する。
(3) 訂正事項ｃは、訂正事項ｂの訂正に伴って登録明細書の特許請求の範囲の請求項の番号及び引用する請求項を整理するものであって、明りょうでない記載の釈明に相当する。
(4) 訂正事項ｄ及び訂正事項ｅ
　訂正事項ｄ及び訂正事項ｅは、訂正事項ａの訂正に対応してなされた発明の詳細な説明の訂正であり、明りょうでない記載の釈明に相当し、且つ、願書に添付した明細書又は図面に記載した事項の範囲内の訂正であって、実質的に特許請求の範囲を拡張又は変更するものではない。
３　むすび
　以上のとおりであるから、本件の訂正は、特許法第１２０条の４第２項及び同条第３項において準用する同法第１２６条第２項及び第３項の規定に適合するので、当該訂正を認める。
第３　特許異議申立ての理由の概要
　特許異議申立人は、証拠として本件特許の出願前に頒布された刊行物である下記甲第１号証乃至甲第８号証を提出して、本件の請求項１乃至請求項５に係る発明は、甲第１号証乃至甲第８号証記載の発明に基づいて、当業者が容易に発明をすることができたものであるから、本件の請求項１乃至請求項５に係る特許は、特許法第２９条の規定に違反して特許されたものであり、取り消されるべきものである旨主張している。
証拠：
甲第１号証　米国特許第５，４０８，０７２号明細書
甲第２号証　特開平１−２５４３８１号公報
甲第３号証　特開平５−３１８１０２号公報
甲第４号証　特開平７−　４００３７号公報
甲第５号証　特開平７−２９９５５９号公報
甲第６号証　特開平８−２１９８９９号公報
甲第７号証　特開平６−２６９９３２号公報
甲第８号証　特開平９−　５７４３６号公報
　なお、当審で通知した取消しの理由は、特許異議申立ての理由に沿うものである。
第４　特許異議申立ての理由の検討
１　本件発明
　本件については第２の３に示すように訂正が認められており、本件特許の請求項１乃至請求項４に係る発明（以下「本件発明１乃至本件発明４」という。）は、訂正明細書及び登録時の図面の記載からみて、その特許請求の範囲の請求項１乃至請求項４に記載された事項により特定される以下のとおりのものであると認める。
「【請求項１】
　低抵抗で非磁性を示す導体の外周にキュリー温度を持つ高抵抗の磁性体層を被設すると共に、該磁性体層の回りに誘導コイルを巻着し、この誘導コイルに高周波電流を流したとき磁性体層に流れる誘導電流によって該磁性体層を発熱させる高周波誘導加熱式のヒータと、該ヒータからの熱ではんだ付け作業を行う鏝先とを備えたはんだ鏝、
　上記ヒータに高周波電流を流すための高周波電源装置、
　上記はんだ鏝の鏝先温度を検出するための温度センサ、
　鏝先温度を上記キュリー温度以下の範囲内で設定する手段と表示する手段とを有し、上記温度センサで検出された鏝先温度に基づいて上記高周波電源装置から誘導コイルに供給される高周波電流をオン・オフすることにより、該鏝先温度を設定温度に保つように構成されると共に、暗証番号を入力する機能と、入力された暗証番号を判別して必要なモードに切換える機能とを有し、決められた暗証番号を入力した後でなければ設定温度を変更できないように構成された温度コントローラ、
を有することを特徴とする高周波誘導加熱式はんだ付け装置。
【請求項２】
　上記温度コントローラが、キュリー温度より高い温度設定を行った場合に、その設定温度を受け付けないようにするか又は自動的にキュリー温度に基づく自己温調機能が働くように構成されていることを特徴とする請求項１に記載の高周波誘導加熱式はんだ付け装置。
【請求項３】
　上記温度センサがはんだ鏝の鏝先に直接取り付けられていることを特徴とする請求項１又は２に記載の高周波誘導加熱式はんだ付け装置。
【請求項４】
　上記鏝先に糸状はんだを自動的に供給するためのはんだ供給装置を有することを特徴とする請求項１から３までの何れかに記載の高周波誘導加熱式はんだ付け装置。」
２  甲各号証の記載内容
　甲第１号証乃至甲第８号証には、それぞれ以下の発明乃至技術的事項が記載されていると認める。
(1) 甲第１号証
ア　第１欄「発明の属する技術分野」の項
「本発明は、高周波誘導加熱式はんだ付け装置に関するものである。特に、精密なはんだ付け作業のために、ティップの材質のキュリー温度に依存しないで、はんだ温度を制御できるようにしたはんだ付け装置に関するものである。」
イ　第１欄「発明の背景」の項
「１９８９年６月１３日にコーウェルに対して付与された『カートリッジはんだ鏝』米国特許第４，８３９，５０１号では、ハンドル部材とハンドル部材内にはんだ鏝を有するカートリッジはんだ鏝が開示されている。５０１特許で開示されているようなキュリー温度を制御するタイプの高周波誘導加熱式はんだ鏝にあっては、ティップの材質のキュリー温度に対応して温度が得られるため、所望のはんだ温度に応じて、加熱ティップを取り換えなければならない。しかるに、５０１特許のはんだ鏝では、所望の温度に応じて、異なるキュリー温度を有する異なる材質からなるテイップが必要であった。従来のはんだ鏝においては、キュリー温度に制御されたティップを利用して、ティップの交換が必要とされる場合が多く、このことが必要な処理手順および時間を増加させて、はんだ付けの全体のコストを増加させることになっている。・・・（以下略）・・・。」
ウ　第２欄第２５行〜第４欄第３行
「図面をより詳細に参照すると、図１(a)、図１(b)、図１(c)は本発明に係る高周波誘導加熱式はんだ鏝の好適な実施例の分解図である。図２(a)ははんだ鏝用ティップ組立体を組立てた状態を示している。図１(a)は、熱誘導部１と図１(b)に示されるはんだ鏝用ティップ９を保護するとともに、磁束の漏れを防ぐための保護パイプ１１を示している。保護パイプ１１は４０３ステンレスのような素材からできている。電源から遠い方の保護パイプ１１の端部には縁部１１ａが設けられている。縁部１１ａによって、コンポジットティップ９が、フレア端１１ｂを有する他端部を通って、保護パイプ１１の中に挿入された時、きっちりと嵌るようになっている。歯状の保護パイプ留め１２は保護パイプ１１の終端で、フレア端１１ｂを固定させるように形成されている。
　図１(b)の中で示されるコンポジットティップ９は、高い熱伝導性を有するが非磁性である銅基体部１０と、その表面に鉄メッキ層１５とさらに、錫２７が覆っている先端を除いて、高度の磁気透過性のあるクロムメッキ層１４からなっている。銅基体部１０には、保護パイプ１１の縁１１ａをつかむ肩部１０ａが設けられ、保護パイプ１１とコンポジットティップ９との間を接着するようになっている。コンポジットティップ９の内部には、図１(c)で示されるセンサー３を有する熱誘導部の一部を受容するための開口部１６を設けられている。さらに、コンポジットティップ９と熱誘導部１との間の適合は近接している。好ましい実施例では、センサー３はプラチナ・ワイヤー・センサーである。しかしながら、他のタイプのセンサーが使用されてもよい。例えば、センサー３はＫ-タイプ熱電対（ＣＡタイプ熱電対）であってもよい。
　図１(c)に示されている誘導加熱部１は、それ自体、熱を帯びずに、コンポジットティップ９を加熱する。センサー３と５つのピンを有するコネクター７は、中空のセラミックコア５を通る二つの内側ワイヤー６によって接続されている。他の二つの内側ワイヤー６は誘導加熱コイル２を形成しているとともに、５つのピンを有するコネクター７に接続されている。中空のセラミックチューブ４は、セラミックコア５を収容しており、その一部は誘導加熱コイル２によって包まれている。セラミックチューブ４の一部は、低磁気透過性の３０４ステンレスなどでできているシリンダパイプ８によって収容されている。接地線２８は、コネクター７と、接点２６と接する接地金具２５に繋がっている。
　図２(c)は、保護パイプ留め具１２と繋がるようになっている留め溝１２ａを備えたハンドルグリップ１９を有するハンドル１７を示している。これは、さらにコネクター容器１８を、ティップ組立体１３のピンコネクター７に結び付け、そのために、内側ワイヤー６とハンドルグリップ１９のワイヤー２０は接続されることになり、テイップ組立体１３の接地線２８とハンドグリップ１９の接地線は接続されることになる。コネクター７の断面図は図２(b)で示される。
　図３は、はんだ鏝の組立状態を示している。コネクターケーブル２１は、ハンドル部１７の一端に取り付けられた状態で示されている。接コネクターケーブル２１の断面が図２(d)に示されている。
　はんだ鏝の上記構成は、以下の原理によって機能する。電磁誘導が高周波誘導コイル２で生じた時、電磁束が生じる。これが生じると、渦電流がティップ９の表面近くで、すなわち、クロムメッキ部１４や鉄メッキ部１５の中や周辺で発生し、Ｉ２Ｒに従って、交互にジュール熱を発生させる。ここでＩとは渦電流であり、Ｒはメッキの抵抗である。
　熱はその後、銅基体部に移動する。熱されるとともに、熱誘導部分１の端部に設けられているセンサー３は、はんだ鏝用ティップの温度を検知し、そして以下で記述の図４の温度制御装置は、検知された温度によって、はんだユニット１３の温度を制御する。
　図４では、制御回路図が示されているが、これはティップ組立体１３の加熱を制御する。制御メイン部２２は２つの主要な部分、すなわち、高周波電流発生器２３および温度コントローラー２４、を有している。高周波電流発生器２３は、発振器２３ａ、パワーアンプ２３ｂおよびフィルター２３ｃを有している。高周波電流発生器２３は、周波数１３．５６ＭＨｚの発振を生成し、発振器２３ａ内に設けられたQUAD２INPUT AND GATE２３ｄでそれらをオン・オフする。
　温度コントロール部２４は、制御回路２４ａと、温度比較部２４ｂと、温度設定部２４ｃを有している。温度設定部２４ｃは、およそ華氏３９０度から９００度の範囲の間で制御ダイヤル２５によって温度を制御する。制御ダイヤルに代わって、テンキーボタン入力のようなデジタルコントローラを用いてもよい。温度比較部２４ｂは、温度設定部２４ｃの温度と誘導加熱部１のセンサー３の抵抗値を検出し、比較する。発振器２３ａのQUAD２INPUT AND GATE２３ｄの入力ゲートにデジタル信号「０」を入力することによって、発振器２３ａは発振出力を終了させる。デジタル信号「１」の入力によって、増幅器２３ｂへの発振出力に影響を与え、高周波誘導加熱式はんだ鏝の本体１７の温度は、フイルター２３ｃを介して制御される。このように、ティップの材質のキュリー温度に対応して温度が得られるため、所望のはんだ温度に応じて、ティップを取り換えなければならない従来のはんだ鏝と異なり、本発明に係るはんだ鏝は広範囲の温度に対して、ティップは一つで足りるのである。」
エ　第４欄第１６〜２４行
「図５は、本発明のはんだ鏝用テイップの温度特性を示すグラフである。グラフは、４００℃の目標温度の到達に要する時間を示している。本発明では、はんだ鏝はおよそ２０秒以内に４００℃に達することができた。これは、従来のはんだ鏝が６０秒を経過しても４００℃に達しないのに対して、著しい進歩である。」
オ　第４欄第３７〜４３行
「はんだ付け作業温度は典型的には、およそ２００℃から４００℃の間であり、材質のキュリー温度に依存するものではない。例えば、純鉄のキュリー温度は７８０℃である。このように、本発明に係る高周波誘導加熱式のはんだ鏝ははんだ付けを異なる温度で行なうことを可能にする。」
　これらの記載事項を本件発明１に照らして整理すると甲第１号証には以下の発明が記載されていると認める。
　高い熱伝導性を有するが非磁性である銅基体部１０の外周にキュリー温度を持つ鉄メッキ層１５及びクロムメッキ層１４を被設すると共に、前記銅基体部１０の内部の中空開口部１６に誘導加熱コイル２を設け、この誘導加熱コイル２に高周波電流を流したとき鉄メッキ層１５及びクロムメッキ層１４に流れる渦電流によって該鉄メッキ層１５及びクロムメッキ層１４を発熱させる高周波誘導加熱部１と、該加熱部１からの熱ではんだ付け作業を行うはんだ鏝用ティップ９とを備えたはんだ鏝、
　上記加熱部１に高周波電流を流すための高周波電流発生器２３、
　上記はんだ鏝用ティップ９の温度を検出するためのセンサー３、
　はんだ鏝用ティップ９の温度を上記キュリー温度より低い範囲内で設定する温度設定部２４ｃを有し、上記センサー３で検出されたはんだ鏝用ティップ９の温度に基づいて上記高周波電流発生器２３から誘導加熱コイル２に供給される高周波電流をオン・オフすることにより、該はんだ鏝用ティップ９の温度を設定温度に保つように構成された温度コントローラ２４、
を有する温度調節可能な高周波誘導加熱式はんだ付け装置。
(2) 甲第２号証及び甲第３号証
　はんだ付け装置において、鏝先温度を表示する手段を設けること。
(3) 甲第４号証乃至甲第６号証
　はんだ付け装置において、はんだ鏝の鏝先温度を検出するための温度センサがはんだ鏝の鏝先に直接取り付けられていること。
(4) 甲第７号証及び甲第８号証
　はんだ付け装置において、鏝先に糸状はんだを自動的に供給するためのはんだ供給装置を設けること。
３　対比・検討
(1) 本件発明１について　
　本件発明１と甲第１号証記載の発明とを対比すると、甲第１号証記載の発明の「高い熱伝導性を有するが非磁性である銅基体部１０」は、本件発明１の「低抵抗で非磁性を示す導体」に相当し、以下同様に「キュリー温度を持つ鉄メッキ層１５及びクロムメッキ層１４」は、「キュリー温度を持つ高抵抗の磁性体層」に、「誘導加熱コイル２」は、「誘導コイル」に、「渦電流」は、「誘導電流」に、「高周波誘導加熱部１」は、「高周波誘導加熱式のヒータ」に、「はんだ鏝用ティップ９」は、「鏝先」に、「高周波電流発生器２３」は、「高周波電源装置」に、また、「センサー３」は、「温度センサ」にそれぞれ相当することが明らかであり、また、甲第１号証記載の発明の「温度設定部２４ｃ」は、鏝先温度を磁性体層のキュリー温度より低い範囲内で設定する手段であるという限りで、本件発明１の鏝先温度を磁性体層のキュリー温度以下の範囲内で設定する手段に対応している。
　したがって、本件発明１と甲第１号証記載の発明とは、
　低抵抗で非磁性を示す導体の外周にキュリー温度を持つ高抵抗の磁性体層を被設すると共に、誘導コイルを設け、この誘導コイルに高周波電流を流したとき磁性体層に流れる誘導電流によって該磁性体層を発熱させる高周波誘導加熱式のヒータと、該ヒータからの熱ではんだ付け作業を行う鏝先とを備えたはんだ鏝、
　上記ヒータに高周波電流を流すための高周波電源装置、
　上記はんだ鏝の鏝先温度を検出するための温度センサ、
　鏝先温度を上記キュリー温度より低い範囲内で設定する手段とを有し、上記温度センサで検出された鏝先温度に基づいて上記高周波電源装置から誘導コイルに供給される高周波電流をオン・オフすることにより、該鏝先温度を設定温度に保つように構成された温度コントローラ、
を有する高周波誘導加熱式はんだ付け装置、
である点で一致し、以下の４点で相違している。
相違点１：
　誘導コイルが、本件発明１では、磁性体層の回りに巻着されているのに対して、甲第１号証記載の発明では、低抵抗で非磁性を示す導体の内部の中空開口部に設けられている点。
相違点２：
　本件発明１では、鏝先温度を磁性体層のキュリー温度以下の範囲内で設定しているのに対して、甲第１号証記載の発明では、鏝先温度を磁性体層のキュリー温度より低い範囲内で設定している点。
相違点３：
　本件発明１では、鏝先温度を表示する手段を有しているのに対して、甲第１号証記載の発明では、当該手段を備えていない点。
相違点４：
  本件発明１では、温度コントローラが、暗証番号を入力する機能と、入力された暗証番号を判別して必要なモードに切換える機能とを有し、決められた暗証番号を入力した後でなければ設定温度を変更できないように構成されているのに対して、甲第１号証記載の発明では、そのようになっていない点。
　そこで、先ず相違点１について検討すると、本件発明１及び甲第１号証記載の発明の誘導コイルは、いずれも高周波電流を流したとき磁性体層に流れる誘導電流によって該磁性体層を発熱させるものであることに変わりなく、誘導コイルを、本件発明１のように磁性体層の回りに巻着するか、或いは、甲第１号証記載の発明のように低抵抗で非磁性を示す導体の内部の中空開口部に設けるかは、必要に応じて適宜選択すればよい単なる設計的事項にすぎない。
　次に、相違点２について検討すると、本件発明１と甲第１号証記載の発明との相違は、設定温度の上限を、本件発明１では、磁性体層のキュリー温度としているのに対して、甲第１号証記載の発明では、磁性体層のキュリー温度より低い値としている点に帰着する。
　ところで、本件訂正明細書の段落【０００２】〜【０００５】の【従来の技術】の項及び甲第１号証の第１欄「発明の背景」の項にその旨記載されているように、従来公知の高周波誘導加熱式はんだ付け装置は、鏝先温度が磁性体層のキュリー温度に自動的に保たれるものである。
　そうしてみると、甲第１号証記載の発明において、設定温度の上限を磁性体層のキュリー温度として、鏝先温度を磁性体層のキュリー温度以下の範囲内で設定することは、当業者が格別の工夫をすることなく容易に想到するところである。
　次に、相違点３について検討すると、先に認定したように甲第２号証及び甲第３号証には、はんだ付け装置において、鏝先温度を表示する手段を設けることが記載されており、このことを甲第１号証記載の発明に適用して本件発明１のように構成する点に格別の困難性は見当たらない。
　最後に、相違点４について検討すると、特許異議申立人もその旨主張しているように、安易に設定を変更されないようにすることが好まし装置について、予め登録された暗証番号を入力しなければ設定を変更することができないようにすることは、技術分野を問わず広く採用されている周知・慣用の技術事項であり（必要であれば、例えば、特開昭５９−６６７０３号公報、特開昭６２−８０７０３号公報、特開平５−１１８０３号公報等を参照のこと。）、この事項を甲第１号証記載の発明に適用して本件発明１のように構成する点にも格別の困難性は見当たらない。
(2) 本件発明２について
　本件発明２と甲第１号証記載の発明とを対比すると、本件発明２は、本件発明１をさらに限定するものであるから、上記した一致点及び相違点１乃至相違点４を有するほか、以下の点で相違している。
相違点５：
　本件発明２では、温度コントローラが、キュリー温度より高い温度設定を行った場合に、その設定温度を受け付けないようにするか又は自動的にキュリー温度に基づく自己温調機能が働くように構成されているのに対して、甲第１号証記載の発明では、そのようになっていない点。
　相違点５について検討すると、温度設定に限らず、一般に、ある範囲内の数値を設定する場合に、その上限を超える数値が設定されたときにはその設定値を受け付けないようにすることも、特に例示するまでもなく広く採用されている周知・慣用の技術事項であり、また、(1)の相違点２についての検討で述べたように、従来公知の高周波誘導加熱式はんだ付け装置は、鏝先温度が磁性体層のキュリー温度に自動的に保たれるものであるので、温度コントローラが、キュリー温度より高い温度設定を行った場合に、その設定温度を受け付けないようにするか又は自動的にキュリー温度に基づく自己温調機能が働くように構成することは、当業者が格別の工夫をすることなく容易に想到するところである。
(3) 本件発明３について
　本件発明３と甲第１号証記載の発明とを対比すると、本件発明３は、本件発明１又は２をさらに限定するものであるから、上記した一致点及び相違点１乃至相違点５を有するほか、以下の点で相違している。
相違点６：
　本件発明３では、温度センサがはんだ鏝の鏝先に直接取り付けられているのに対して、甲第１号証記載の発明では、そのようになっていない点。
　相違点６について検討すると、先に認定したように甲第４号証乃至甲第６号証には、はんだ付け装置において、はんだ鏝の鏝先温度を検出するための温度センサがはんだ鏝の鏝先に直接取り付けられていることが記載されており、このことを甲第１号証記載の発明に適用して本件発明３のように構成する点に格別の困難性は見当たらない。
(4) 本件発明４について
　本件発明４と甲第１号証記載の発明とを対比すると、本件発明４は、本件発明１から３までの何れかの発明をさらに限定するものであるから、上記した一致点及び相違点１乃至相違点６を有するほか、以下の点で相違している。
相違点７：
　本件発明４では、鏝先に糸状はんだを自動的に供給するためのはんだ供給装置を有しているのに対して、甲第１号証記載の発明では、そのようになっていない点。
　相違点７について検討すると、先に認定したように甲第７号証及び甲第８号証には、はんだ付け装置において、鏝先に糸状はんだを自動的に供給するためのはんだ供給装置を設けることが記載されており、このことを甲第１号証記載の発明に適用して本件発明４のように構成する点にも格別の困難性は見当たらない。
(5) 本件発明１乃至本件発明４の効果について
　本件発明１乃至本件発明４の採用する構成によってもたらされる効果は、甲第１号証乃至甲第８号証記載の発明乃至技術的事項及び上記周知・慣用の技術事項から当業者が容易に予測できる程度のものであって格別のものではない。    
　したがって、本件発明１乃至本件発明４は、甲第１号証乃至甲第８号証記載の発明乃至技術的事項及び上記周知・慣用の技術事項に基づいて当業者が容易に発明をすることができたものである。
第５　むすび
　以上のとおりであるから、本件の請求項１乃至請求項４に係る特許は、特許法第２９条の規定に違反して特許されたものであり、取り消されるべきものである。
　よって、結論のとおり決定する。
【異議決定日】
平成１４年７月２３日（２００２．７．２３）
【訂正の要旨】
訂正の要旨
　特許第３１８７７４７号の登録時の明細書（以下「登録明細書」という。）を、本件に係る訂正請求書に添付された明細書（以下「訂正明細書」という。）のとおり、すなわち、次の訂正事項ａ乃至訂正事項ｅのとおりに訂正する。
（１）訂正事項ａ
　特許請求の範囲の減縮を目的として、登録明細書の特許請求の範囲の請求項１中の「設定温度に保つ温度コントローラ、」を、「設定温度に保つように構成されると共に、暗証番号を入力する機能と、入力された暗証番号を判別して必要なモードに切換える機能とを有し、決められた暗証番号を入力した後でなければ設定温度を変更できないように構成された温度コントローラ、」と訂正する。
（２）訂正事項ｂ
　特許請求の範囲の減縮を目的として、登録明細書の特許請求の範囲の請求項３を削除する。
（３）訂正事項ｃ
　訂正事項ａ及び訂正事項ｂの訂正に伴いその記載との整合を図るため、明りょうでない記載の釈明を目的として、登録明細書の特許請求の範囲の請求項４及び請求項５をそれぞれ繰り上げて訂正明細書の特許請求の範囲の請求項３及び請求項４とし、更に、登録明細書の特許請求の範囲の請求項４の「請求項１から３までの何れかに記載の」を、訂正明細書の特許請求の範囲の請求項３では「請求項１又は２に記載の」と訂正し、登録明細書の特許請求の範囲の請求項５の「請求項１から４までの何れかに記載の」を、訂正明細書の特許請求の範囲の請求項４では「請求項１から３までの何れかに記載の」と訂正する。
（４）訂正事項ｄ
　訂正事項ａの訂正に伴いその記載との整合を図るため、明りょうでない記載の釈明を目的として、登録明細書の段落【０００７】【課題を解決するための手段】中の「設定温度に保つ温度コントローラ、」を、「設定温度に保つように構成されると共に、暗証番号を入力する機能と、入力された暗証番号を判別して必要なモードに切換える機能とを有し、決められた暗証番号を入力した後でなければ設定温度を変更できないように構成された温度コントローラ、」と訂正する。
（５）訂正事項ｅ
　明りょうでない記載の釈明を目的として、登録明細書の段落【００１０】を、「また、本発明においては、上記温度コントローラが、決められた特定の暗証番号を入力した後でなければ設定温度を変更できないように構成されているから、人体や異物等が設定手段に接触することによって不時に設定温度が切り換わるといった心配がなくなり、安全性が向上する。」と訂正すると共に、その段落番号を【０００９】に訂正し、登録明細書の段落【０００９】の段落番号を【００１０】に訂正する。
（５４）【発明の名称】
高周波誘導加熱式はんだ付け装置
（５７）【特許請求の範囲】
　【請求項１】
　低抵抗で非磁性を示す導体の外周にキュリー温度を持つ高抵抗の磁性体層を被設すると共に、該磁性体層の回りに誘導コイルを巻着し、この誘導コイルに高周波電流を流したとき磁性体層に流れる誘導電流によって該磁性体層を発熱させる高周波誘導加熱式のヒータと、該ヒータからの熱ではんだ付け作業を行う鏝先とを備えたはんだ鏝、
　上記ヒータに高周波電流を流すための高周波電源装置、
　上記はんだ鏝の鏝先温度を検出するための温度センサ、
　鏝先温度を上記キュリー温度以下の範囲内で設定する手段と表示する手段とを有し、上記温度センサで検出された鏝先温度に基づいて上記高周波電源装置から誘導コイルに供給される高周波電流をオン・オフすることにより、該鏝先温度を設定温度に保つ
ように構成されると共に、暗証番号を入力する機能と、入力された暗証番号を判別して必要なモードに切換える機能とを有し、決められた暗証番号を入力した後でなければ設定温度を変更できないように構成された
を有することを特徴とする高周波誘導加熱式はんだ付け装置。
　【請求項２】
　上記温度コントローラが、キュリー温度より高い温度設定を行った場合に、その設定温度を受け付けないようにするか又は自動的にキュリー温度に基づく自己温調機能が働くように構成されていることを特徴とする請求項１に記載の高周波誘導加熱式はんだ付け装置。
　【請求項３】
　上記温度センサがはんだ鏝の鏝先に直接取り付けられていることを特徴とする請求項１
又は２
　【請求項４】
　上記鏝先に糸状はんだを自動的に供給するためのはんだ供給装置を有することを特徴とする請求項１から
３
【発明の詳細な説明】
　【０００１】
　【発明の属する技術分野】
　本発明は、高周波誘導加熱式のヒータを備えたはんだ付け装置に関するものであり、更に詳しくは、はんだ付け条件に応じて鏝先温度を自由に変更することができる高周波誘導加熱式のはんだ付け装置に関するものである。
　【０００２】
　【従来の技術】
　電子部品等のはんだ付けに使用されるはんだ鏝のヒータには、電気抵抗体に商業周波数の電流を流して発熱させる方式のものと、高周波電流を流して発熱させる高周波誘導加熱式のものとがある。
　【０００３】
　図２に示すように、高周波誘導加熱式のヒータ１は、銅のような低抵抗で非磁性を示す導体２ａの外周に、キュリー温度を持つ特殊合金からなる高抵抗の磁性体層２ｂを被覆したヒータ本体２と、該ヒータ本体２に巻き付けた誘導コイル３とを備えていて、この誘導コイル３に１０数ＭＨｚ程度の高周波電流を流すことにより磁性体層２ｂに高周波の誘導電流を発生させ、この誘導電流によって該磁性体層２ｂを発熱させるものである。
　【０００４】
　この高周波誘導加熱式ヒータの最大の特徴は、磁性体の持つキュリー現象と、高周波電流の持つ表皮効果と、磁性体中を流れ易いという高周波電流の性質とを有効に利用して、発熱温度をキュリー温度近くに自動的に自己保持させることができるというもので、温度の安定性に勝れるという利点がある。また、温度の立ち上がりが非常に早く、セラミックヒータ等を使用した一般のはんだ鏝の場合には設定した鏝先温度になるまで４０〜７０秒の時間を要するのに対し、僅か８〜１０秒程度で設定温度に到達できるという点も大きな特徴の一つである。
　【０００５】
　このように、高周波誘導加熱式のヒータは、発熱温度が磁性体のキュリー温度に自動的に保たれるという自己温調効果を利用するものであるため、このヒータを内蔵したはんだ鏝においては、これまで、そのヒータに使用されている磁性体のキュリー温度付近で使用するのが最も効率的であると考えられていた。このため、磁性体の種類によってヒータの使用温度（鏝先温度）が決められていて、はんだ付け条件に応じて鏝先温度を変更する場合には、キュリー温度の異なる磁性体層を備えた別のヒータと交換するようにしていた。そのため、複数種類のヒータを用意しなければならないばかりでなく、それらを交換して設定温度を変更する作業も非常に面倒であり、その変更も段階的で数種類（ヒータの数）の温度に限定されるという欠点があった。
　【０００６】
　【発明が解決しようとする課題】
　本発明の主要な技術的課題は、高周波誘導加熱式のヒータを備えたはんだ付け装置において、はんだ付け条件に応じた鏝先温度の変更を、ヒータを交換することなく簡単且つ自由に行い得るようにすることにある。
　本発明の他の技術的課題は、上述した高周波誘導加熱式はんだ付け装置において、鏝先温度の変更を無段階に行うことができるようにすることにある。
　【０００７】
　【課題を解決するための手段】
　上記課題を解決するため、本発明によれば、低抵抗で非磁性を示す導体の外周にキュリー温度を持つ高抵抗の磁性体層を被設すると共に、該磁性体層の回りに誘導コイルを巻着し、この誘導コイルに高周波電流を流したとき磁性体層に流れる誘導電流によって該磁性体層を発熱させる高周波誘導加熱式のヒータと、該ヒータからの熱ではんだ付け作業を行う鏝先とを備えたはんだ鏝、上記ヒータに高周波電流を流すための高周波電源装置、上記はんだ鏝の鏝先温度を検出するための温度センサ、鏝先温度を上記キュリー温度以下の範囲内で設定する手段と表示する手段とを有し、上記温度センサで検出された鏝先温度に基づいて上記高周波電源装置から誘導コイルに供給される高周波電流をオン・オフすることにより、該鏝先温度を設定温度に保つ
ように構成されると共に、暗証番号を入力する機能と、入力された暗証番号を判別して必要なモードに切換える機能とを有し、決められた暗証番号を入力した後でなければ設定温度を変更できないように構成された
　【０００８】
　上記構成を有する本発明のはんだ付け装置において、上記温度コントローラに鏝先温度を設定すると、温度センサが検出する鏝先温度がこの温度コントローラにおいて設定温度と比較され、それらが相互に等しくなるように高周波電源装置が制御されることにより、鏝先温度が設定温度に保たれる。このため、はんだ付け条件に応じて鏝先温度を、キュリー温度以下において自由にしかも無段階に変更することができる。
　【
０００９
　
また、本発明においては、上記温度コントローラが、決められた特定の暗証番号を入力した後でなければ設定温度を変更できないように構成されているから、人体や異物等が設定手段に接触することによって不時に設定温度が切り換わるといった心配がなくなり、安全性が向上する。
　【
００１０
　本発明の具体的な実施態様においては、上記温度コントローラが、キュリー温度より高い温度設定を行った場合に、その設定温度を受け付けないようにするか又は自動的にキュリー温度に基づく自己温調機能が働くように構成される。
　【００１１】
　本発明においてはまた、上記温度センサがはんだ鏝の鏝先に直接取り付けられていることが望ましい。
　本発明のはんだ付け装置には、鏝先に糸状はんだを自動的に供給するためのはんだ供給装置を含ませることもできる。
　【００１２】
　【発明の実施の形態】
　図１は本発明のはんだ付け装置の構成をブロック図によって示すもので、この装置は、高周波誘導加熱式のヒータ１１を内蔵したはんだ鏝１０と、上記ヒータ１１に高周波電流を供給するための高周波電源装置と、上記はんだ鏝１０の鏝先温度を検出するための温度センサ１２と、該鏝先温度を設定するための温度コントローラと、糸状はんだ１３を鏝先に供給するためのはんだ供給装置とを備えている。
　【００１３】
　上記はんだ鏝１０におけるヒータ１１は、図２に示すヒータ１と同じ構成であるから、同一構成部分に図２と同一の符号を付してその部分の説明は省略する。なお、図中３ａはリード線、１５は鏝先、１６は上記ヒーター１１を内蔵し且つ鏝先１５を先端に備えたステンレススチール製パイプ、１７は該パイプ１６とヒータ１１との間に介在する絶縁部材を兼ねる断熱材である。
　このはんだ鏝１０においては、使用温度範囲を広げるため、上記ヒータ１１の磁性体層２ｂに用いる磁性体として、できるだけ高いキュリー温度（例えば４００〜６００℃）を持った磁性体を使用するのが望ましい。
　【００１４】
　上記高周波電源装置は、商用周波数の交流電源から例えば１０〜１５ＭＨｚ程度の高周波電流を発生させ、これを上記はんだ鏝１０の誘導コイル３に出力するものであるが、このような高周波電源装置自体は何ら特殊なものではなく、既に実用されているものと同じものを使用することができる。
　【００１５】
　上記温度センサ１２は、はんだ鏝１０の鏝先１５に熔接等の手段で直接固定することにより、鏝先温度を速やか且つ正確に検出して温度コントローラにフィードバックできるようになっている。
　【００１６】
　また、上記温度コントローラは、鏝先温度を設定する設定手段と、設定温度又は検出された鏝先温度を数値で表示する発光ダイオード等からなる表示手段と、上記温度センサ１２からフィードバックされる鏝先温度と設定温度とを比較する比較器と、該比較器で求められた温度差がゼロになるようにスイッチ回路を開閉させる制御回路と、高周波電源装置から出力される高周波電流をオン・オフさせる上記スイッチ回路とを有している。そして、鏝先温度が設定温度より低いときは、比較器からの信号に基づいて制御回路が、それらの温度差をゼロにすべくスイッチ回路を閉じて高周波電源装置の出力をオンにし、ヒータ１１に高周波電流を流して鏝先温度を高めるように動作し、鏝先温度が設定温度より高くなると、比較器からの信号に基づいて上記制御回路が、その温度差をゼロにすべくスイッチ回路を開放して高周波電源装置の出力をオフにし、ヒータ１１への高周波電流を遮断して鏝先温度を下げるように動作する。そしてこの動作を繰り返すことにより、鏝先温度が設定温度に保たれることになる。
　【００１７】
　上記スイッチ回路によって高周波電源装置からの高周波電流をオン・オフする場合、該高周波電源装置の出力回路を開閉するようにしても、電源回路を開閉するようにしてもどちらでも良い。
　【００１８】
　また、上記温度コントローラは、温度設定を何らの制限も受けることなく自由に行い得るようになっていても良いが、安全性や品質保持等の観点から、決められた特定の暗証番号を入力した後でなければ設定温度を変更できないように構成されていることが望ましい。これにより、人体や異物等が設定手段に接触することによって不時に設定温度が切り換わるといった心配がなくなる。
　この場合、入力された暗証番号を判別して必要なモードに切り換える判別回路は、上記設定手段に組み込むことができ、また、暗証番号の有無についてのモード設定及び暗証番号については、初期設定時に上記設定手段でそれぞれ設定できるように構成される。
　【００１９】
　なお、上記温度コントローラによる温度設定は、ヒータ１１に使用されている磁性体のキュリー温度以下の範囲内で行うことができるものであって、キュリー温度より高い温度設定を行った場合には、その温度設定を受け付けないようにするか、又は、自動的にキュリー温度に設定されて自己温調機能が働くように構成するのが望ましい。
　【００２０】
　一方、上記はんだ供給装置は、リール１８に巻かれた糸状はんだ１３を駆動ローラ１９，１９により必要量ずつ強制的に繰り出し、チューブ２０を通じて鏝先１５に供給するもので、該チューブ２０の先端部分ははんだ鏝１０の一部に支持されている。糸状はんだ１３を供給するタイミングや供給速度等は、このはんだ供給装置が内蔵する制御回路により自動的に又は手動操作により制御され、その設定は、はんだ付け条件に応じて変更自在である。
　【００２１】
　上記構成を有するはんだ付け装置において、温度コントローラの設定手段によって鏝先温度が設定されると、比較器においてこの設定温度と温度センサ１２が検出する鏝先温度とが比較され、その温度差信号が制御回路に出力される。そして、鏝先温度が設定温度より低いときは、それらの温度差をゼロにすべく制御回路がスイッチ回路を閉じて高周波電源装置の出力をオンにし、ヒータ１１に高周波電流を流して鏝先温度を高めるように動作する。逆に鏝先温度が設定温度より高くなると、比較器からの信号に基づいて上記制御回路が、その温度差をゼロにすべくスイッチ回路を開放して高周波電源装置の出力をオフにし、ヒータ１１への高周波電流を遮断して鏝先温度を下げるように動作する。そしてこの動作を繰り返すことにより、鏝先温度が設定温度に保たれることになる。
　【００２２】
　はんだ付け条件に応じて鏝先温度を変更するときは、上記設定手段で必要な温度を設定すれば良い。これにより、はんだ付け条件に応じて鏝先温度を、磁性体のキュリー温度以下の範囲で自由にしかも無段階に変更することができる。
　【００２３】
　また、高周波誘導加熱式のヒータ１１において上記のように高周波電流をオン・オフして温度調節する方法は、この高周波誘導加熱式ヒータ１１の温度の立ち上がりが早くて応答性に勝れているため、オーバーシュートする温度幅を非常に小さく抑えることができ、この結果、設定値に対する温度変動幅を±５〜１０％の範囲内に確実に抑えることができる。
　【００２４】
　【発明の効果】
　このように本発明によれば、高周波誘導加熱式ヒータを備えたはんだ付け装置において、鏝先温度の変更を、異なるキュリー温度の磁性体層を持つ別のヒータと交換することなく、温度コントローラにその鏝先温度を設定するだけで、簡単且つ自由にしかも無段階に行うことができる。
【図面の簡単な説明】
　【図１】
　本発明の一実施例を示す構成図である。
　【図２】
　高周波誘導加熱式ヒータの構成図である。
　【符号の説明】
　２ｂ　磁性体層　　　　　　　　　　３　誘導コイル
　１０　はんだ鏝　　　　　　　　　１１　ヒータ
　１２　温度センサ　　　　　　　　１５　鏝先